(57)【要約】【課題】小型で携帯に便利であって、鼻を確実に防護し、外さずに食事もできるようにする。また、通常のマスクと併用することもできるようにする。【解決手段】人の鼻全体を包囲する外形の本体カバーと、本体カバーの周縁部に配置され、人の鼻の外周部に吸着する吸着部材と、本体カバーの鼻孔付近に配置され、花粉に相当する微粒子の透過を阻止する微細孔を多数有するフィルタとを備える。人の鼻だけを包囲してフィルタで花粉を除去するので、マスクのように口を塞がないから、息苦しくなく食事もできる。透明で柔軟な素材にすれば目立たず装着感もよい。【選択図】図１
2011115314.tif 000002
【特許請求の範囲】
【請求項１】
人の鼻全体を包囲する外形の本体カバーと、
前記本体カバーの周縁部に配置され、人の鼻の外周部に吸着する吸着部材と、
前記本体カバーの鼻孔付近に配置され、花粉等を含む微粒子の透過を阻止する微細孔を多数有するフィルタとを備えたことを特徴とする鼻炎パッド。
【請求項２】
請求項１に記載の鼻炎パッドにおいて、
前記本体カバーに一端を固定し、他端を耳に掛ける構造をした支持バンドを備えたことを特徴とする鼻炎パッド。
【請求項３】
請求項１，２に記載の鼻炎パッドにおいて、
前記本体カバーは透明で人の鼻に密着する柔軟なゴムまたはプラスチックにより構成されたことを特徴とする鼻炎パッド。
【請求項４】
請求項１乃至３のいずれかに記載の鼻炎パッドにおいて、
前記フィルタは前記本体カバーと脱着可能な手段で固定されていることを特徴とする鼻炎パッド。
【請求項５】
請求項１乃至４のいずれかに記載の鼻炎パッドにおいて、
前記本体カバーに着色または装飾が施されていることを特徴とする鼻炎パッド。
【請求項６】
請求項１乃至５のいずれかに記載の鼻炎パッドにおいて、
前記フィルタは左右の鼻孔を覆う略三角形状とされていることを特徴とする鼻炎パッド。
【請求項７】
請求項１乃至６のいずれかに記載の鼻炎パッドにおいて、
前記本体カバーの一部に前記フィルタが一体化されていることを特徴とする鼻炎パッド。
【請求項８】
請求項１乃至７のいずれかに記載の鼻炎パッドにおいて、
フィルタをフレームで支持したマスクを一体に固定したことを特徴とする鼻炎パッド。
【請求項９】
請求項１乃至８のいずれかに記載の鼻炎パッドにおいて、
鼻と接する面に粘着性の表面処理を施したことを特徴とする鼻炎パッド。
【発明の詳細な説明】
【技術分野】
【０００１】
本発明は、花粉症等の対策のために着用する鼻炎パッドに関する。
【背景技術】
【０００２】
花粉症等の対策のために、様々な種類のマスクが販売されている。また、例えば、目も防護することができるようなマスクが開発されている（特許文献１参照）。さらに、マスクをしているときの息苦しさを除去するための部材も開発されている（特許文献２参照）。
【先行技術文献】
【特許文献】
【０００３】
【特許文献１】特開２００５−７４０４５号公報
【特許文献２】特開２００２−７４８号公報
【発明の概要】
【発明が解決しようとする課題】
【０００４】
既知の花粉症用のマスクは装着したときに鼻の付近に隙間ができて、多少の花粉を吸い込むので花粉症を抑えるのが難しい。鼻の高い人は特にその傾向が大きい。マスクに鼻の形状に沿う曲面を付けるような工夫も多くされているが、息苦しくなり大型になる傾向がある。また、その取り扱いも携帯所持も容易でないという問題がある。また、食事の際にはマスクを取り外すが、このときに花粉を鼻から吸い込んでしまうという問題もある。
上記の課題を解決するために、本発明は、小型で携帯に便利であって、鼻を確実に防護し、外さずに食事もできて、通常のマスクと併用することもできる鼻炎パッドを提供することを目的とする。
【課題を解決するための手段】
【０００５】
以下の構成はそれぞれ上記の課題を解決するための手段である。
〈構成１〉
人の鼻全体を包囲する外形の本体カバーと、前記本体カバーの周縁部に配置され、人の鼻の外周部に吸着する吸着部材と、前記本体カバーの鼻孔付近に配置され、花粉等を含む微粒子の透過を阻止する微細孔を多数有するフィルタとを備えたことを特徴とする鼻炎パッド。
【０００６】
〈構成２〉
構成１に記載の鼻炎パッドにおいて、前記本体カバーに一端を固定し、他端を耳に掛ける構造をした支持バンドを備えたことを特徴とする鼻炎パッド。
【０００７】
〈構成３〉
構成１，２に記載の鼻炎パッドにおいて、前記本体カバーは透明で人の鼻に密着する柔軟なゴムまたはプラスチックにより構成されたことを特徴とする鼻炎パッド。
【０００８】
〈構成４〉
構成１乃至３のいずれかに記載の鼻炎パッドにおいて、前記フィルタは前記本体カバーと脱着可能な手段で固定されていることを特徴とする鼻炎パッド。
【０００９】
〈構成５〉
構成１乃至４のいずれかに記載の鼻炎パッドにおいて、前記本体カバーに着色または装飾が施されていることを特徴とする鼻炎パッド。
【００１０】
〈構成６〉
構成１乃至５のいずれかに記載の鼻炎パッドにおいて、前記フィルタは左右の鼻孔を覆う略三角形状とされていることを特徴とする鼻炎パッド。
【００１１】
〈構成７〉
構成１乃至６のいずれかに記載の鼻炎パッドにおいて、前記本体カバーの一部に前記フィルタが一体化されていることを特徴とする鼻炎パッド。
【００１２】
〈構成８〉
構成１乃至７のいずれかに記載の鼻炎パッドにおいて、フィルタをフレームで支持したマスクを一体に固定したことを特徴とする鼻炎パッド。
【００１３】
〈構成９〉
構成１乃至８のいずれかに記載の鼻炎パッドにおいて、鼻と接する面に粘着性の表面処理を施したことを特徴とする鼻炎パッド。
【発明の効果】
【００１４】
〈構成１の効果〉
人の鼻だけを包囲して、フィルタで花粉を除去するので、マスクのように口を塞がないから、息苦しくなく食事もできる。
〈構成２の効果〉
既知のマスクや眼鏡のように耳にかけて鼻炎パッドを支持できる。
〈構成３の効果〉
透明で柔軟な素材により鼻に密着させると、外観が目立たないので、違和感を軽減できる。
〈構成４の効果〉
本体カバーからフィルタを取り外して洗浄等や交換ができる。
〈構成５の効果〉
鼻炎パッドに装飾性を持たせることができる。
〈構成６の効果〉
左右の鼻孔を覆う広さだと息苦しくないし目立たない。
〈構成７の効果〉
本体カバーとフィルタとをまとめて洗浄したり交換することができる。
〈構成８の効果〉
口を覆うマスクと併用できると、さらに便利である。
〈構成９の効果〉
粘着剤によって鼻に固定すると、耳に掛ける紐等は不要で、位置ずれや脱落を防止できる。
【図面の簡単な説明】
【００１５】
【図１】実施例１の鼻炎パッドを示し、（ａ）は正面図、（ｂ）はそのＡ−Ａ縦断面図、（ｃ）はその側面図である。
【図２】鼻炎パッド１０を人の鼻に装着する状態を示し、（ａ）は装着前、（ｃ）は装着後の状態を示し、（ｂ）は人の側面図である。
【図３】フィルタの説明図で、（ａ）は鼻炎パッド１０を鼻孔側から見上げた底面図、（ｂ）はフィルタの斜視図、（ｃ）は（ａ）のＢ−Ｂ横断面図、（ｄ）は変形例の横断面図である。
【図４】マスクとの併用構造を示し、（ａ）は鼻炎パッド１０全体の側面図、（ｂ）はその正面図である。
【発明を実施するための形態】
【００１６】
以下、本発明の実施の形態を実施例毎に詳細に説明する。
【実施例１】
【００１７】
図１は実施例１の鼻炎パッドを示し、（ａ）は正面図、（ｂ）はそのＡ−Ａ縦断面図、（ｃ）はその側面図である。
この鼻炎パッド１０は、人の鼻全体を包囲する外形の本体カバー１２を備えている。この実施例では、シリコンゴムをモールド加工して製造した。本体カバー１２はゴムまたはプラスチックにより構成するとよい。本体カバー１２の周縁部１４には、人の鼻の外周部に吸着する吸着部材１８が配置されている。また、本体カバー１２の鼻孔付近には、フィルタ２０が配置されている。フィルタ２０は、花粉等を含む微粒子の透過を阻止する微細孔を多数有するものである。フィルタ２０には、十分に薄くて柔軟なプラスチック網やセラミックフィルタを使用することが好ましい。
【００１８】
図１（ｂ）に示すように、本体カバー１２の内面には、例えば、多数のディンプル（凹窪）による吸着部材１８が設けられている。本体カバー１２がゴム状の弾性体であれば、これらの吸着部材１８は吸盤のように肌に密着して、本体カバー１２を鼻に固定する。また、本体カバー１２の全周を鼻の周囲に密着させることができるので、花粉の侵入を確実に防止できる。なお、本体カバー１２の鼻に接する面を、肌に粘着するような粘着面にしておいてもよい。このような粘着性の素材は多種多様なものが市販されており、いずれかを利用すればよい。フィルタの取付けは後で図３を用いて説明する。
【実施例２】
【００１９】
図２は、鼻炎パッド１０を人の鼻に装着する状態を示し、（ａ）は装着前、（ｃ）は装着後の状態を示し、（ｂ）は人の側面図である。
図２に示す本体カバー１２には、例えば、図の破線のように、既知のマスクのような支持バンド２６を取り付けることができる。これは、しっかりと固定をして脱落を防止する場合に適する。しかし、適切な吸着構造を採用すれば、図の（ｃ）に示すように、人の鼻１６に、鼻孔２２を完全に覆うように、本体カバー１２を、何の支持も無く装着することができる。
【００２０】
図２の例において、支持バンド２６を肌色でできるだけ細いものにすれば、目立たずに違和感を無くすことができる。本体カバー１２を、シリコンゴムのような、透明で柔軟な薄い素材で製造すると、全体として目立たず違和感も少なく、誰にでも広く利用し易くなる。
【実施例３】
【００２１】
図３は、フィルタの説明図で、（ａ）は鼻炎パッド１０を鼻孔側から見上げた底面図、（ｂ）はフィルタの斜視図、（ｃ）は（ａ）のＢ−Ｂ横断面図、（ｄ）は変形例の横断面図である。
図の（ａ）に示すように、この実施例のフィルタ２０は、左右の鼻孔２２を覆う略三角形状とされている。フイルタ２０は、下から見たときの鼻の形状より小さいことが好ましい。これにより、正面や側面からはフィルタが目立たなくなる。即ち、鼻孔を含むできるだけ広い面積にフィルタ２０を配置して息苦しくないようにしている。
【００２２】
フィルタ２０は、多孔質の特殊合金やセラミックによるものが好ましい。しかし、簡略的には不織布や発泡プラスチックを使用することができる。フィルタ２０を選択することにより、花粉、黄砂、最近、ガス、煙等を阻止することができる。携帯して防災用具としても利用できる。多孔質の特殊合金を使用したときには、図の（ｂ）に示すようなフィルタ２０をいくつか携帯しておき、空気の通りが悪くなったら交換するとよい。
【００２３】
この場合、図の（ｃ）に示すように、フィルタ２０を本体カバー１２に嵌め込むように、本体カバー１２の内面にホルダ溝２８を形成しておくとよい。ホルダ溝２８はフィルタ２０の全周をゴム弾性により締め付けるようにしてフィルタ２０を保持するのが好ましい。また、あるいは、図の（ｄ）に示すように、フィルタ２０を本体カバー１２に粘着剤で貼り付けたり、面ファスナで固定するようにしてもよい。
【００２４】
以上のように構成すれば、例えば、本体カバー１２からフィルタ２０を取り外して洗浄し、繰り返し使用することもできる。また、本体カバー１２の一部にフィルタ２０がモールドされて完全に一体化されていてもよい。この場合には、本体カバー１２とフィルタ２０とをまとめて、コンタクトレンズの洗浄装置を用いて洗浄したり交換することができる。全体としても十分に小型化できるので、一括洗浄ができるほうがいつも清潔に繰り返し気持ちよく使用できる。
【００２５】
できるだけ肌になじんで目立たないようにする方法のほかに、本体カバー１２の形状や模様を装飾性のあるものにしても構わない。本体カバー１２を肌色に着色してもよい。ビアスやタトゥーで顔に装飾を施す場合と同様に、ファッション性により利用者を増やすこともできる。
【００２６】
人の鼻１６だけを包囲して、フィルタ２０で花粉等を除去するので、マスクのように口を塞がないから、息苦しくなく食事もできる。従って、重度の花粉症の利用者の症状緩和に役立つ。通常のマスクを併用しているときは、通常のマスクのみを外して食事をすればよい。
【実施例４】
【００２７】
図４は、マスクとの併用構造を示し、（ａ）は鼻炎パッド１０全体の側面図、（ｂ）はその正面図である。マスクとの併用構造を示し、（ａ）は主要部拡大横断面図、（ｂ）は使用状態の側面図である。
この実施例では、図の（ａ）のように、本体カバー１２の下縁に、マスク３２を一体化している。マスク３２はフレームの部分とフィルタ３４の部分とで構成されており、フレームの部分には図１（ｂ）と同様に、口の周りの肌に密着する吸着部材１８を設けるとよい。フィルタ３４は、フィルタ２０と全く同様のものでよい。
【００２８】
このようにマスク３２を一体化すると、口で呼吸する人に有効である。口から花粉や細菌や異物が入るのを防止できる。また、会話をするときに、細菌の飛散や唾液の飛散を防止することができる。なお、マスク３２の部分だけ、切り離して独立に着脱できるようにしてもよい。
【符号の説明】
【００２９】
１０  鼻炎パッド
１２  本体カバー
１４  周縁部
１６  人の鼻
１８  吸着部材
２０  フィルタ
２２  鼻孔
２６  支持バンド
２８  ホルダ溝
３０  耳
３２  マスク
３４  フィルタ
【図１】
2011115314.tif 000003
【図２】
2011115314.tif 000004
【図３】
2011115314.tif 000005
【図４】
2011115314.tif 000006